(57)【要約】【課題】【０００８】  上下フレームの嵌合状態が、外部からの荷重に対しても容易に外れないよう構成し、表示モジュール全体の機械的強度を向上させた表示装置を提供すること。【解決手段】  表示パネルと、該表示パネルの表面側から該表示パネルを支持する上フレーム２と、該表示パネルの裏面側から該表示パネルを支持する下フレームとを有する表示装置において、該上フレーム又は該下フレームのうち、一方のフレームの側面には突起部が形成され、他方のフレームの側面には該突起部と係合する係合部２０が形成され、該上フレームと該下フレームとが該表示パネルを挟持する状態で嵌合された際には、該突起部と該係合部とが係合するよう構成され、該上フレーム２と該下フレームとが嵌合した状態において、外側に位置するフレームには、該突起部又は該係合部のいずれか一方の近傍に切り欠き２１が形成されていることを特徴とする。【選択図】図５
2012013759.tif 000002
【特許請求の範囲】
【請求項１】
表示パネルと、該表示パネルの表面側から該表示パネルを支持する上フレームと、該表示パネルの裏面側から該表示パネルを支持する下フレームとを有する表示装置において、
該上フレーム又は該下フレームのうち、一方のフレームの側面には突起部が形成され、他方のフレームの側面には該突起部と係合する係合部が形成され、該上フレームと該下フレームとが該表示パネルを挟持する状態で嵌合された際には、該突起部と該係合部とが係合するよう構成され、
該上フレームと該下フレームとが嵌合した状態において、外側に位置するフレームには、該突起部又は該係合部のいずれか一方の近傍に切り欠きが形成されていることを特徴とする表示装置。
【請求項２】
請求項１に記載の表示装置において、該突起部又は該係合部が該フレームの側面の長手方向の中央付近にある場合は、該切り欠きは、該突起部又は該係合部を挟むように両側に形成されていることを特徴とする表示装置。
【請求項３】
請求項１に記載の表示装置において、該突起部又は該係合部が該フレームの側面の長手方向の端に近い位置にある場合は、該切り欠きは、該突起部又は該係合部の片側で該長手方向の中央に近い側に形成されていることを特徴とする表示装置。
【請求項４】
請求項１乃至３のいずれかに記載の表示装置において、該上フレームは、該表示パネルの表示画面領域を取り囲む枠状部材であることを特徴とする表示装置。
【請求項５】
請求項１乃至４のいずれかに記載の表示装置において、該突起部は、前記一方のフレームの一部を折り曲げた爪状部材であり、該係合部及び該係合補助部は、前記他方のフレームの一部に形成された開口部であることを特徴とする表示装置。
【請求項６】
請求項１乃至５のいずれかに記載の表示装置において、該表示パネルは、液晶表示パネル又は有機エレクトロルミネッセンス表示パネルのいずれかであることを特徴とする表示装置。
【請求項７】
請求項６に記載の表示装置において、該表示パネルは、液晶表示パネルであり、該上フレームと該下フレームとの間には該液晶表示パネルとバックライトとが挟持されることを特徴とする表示装置。
【発明の詳細な説明】
【技術分野】
【０００１】
本発明は表示装置に関し、特に、表示パネルを上フレームと下フレームとで支持する構造を有する表示装置に関する。
【背景技術】
【０００２】
携帯電話、携帯情報端末（ＰＤＡ）、デジタルカメラ、マルチメディアプレーヤーなど、多くの携帯型の情報機器の表示装置に液晶モジュール（液晶表示装置）、有機エレクトロルミネッセンス表示装置などの各種表示装置が利用されている。
【０００３】
これらの薄型の表示装置には、モジュール強度を確保するため、例えば液晶表示パネル（ＬＣＤ）や、液晶表示パネルと該液晶表示パネルを照明するバックライトモジュールとを、該表示パネルの表面側と裏面側の両方から金属製のフレーム等で挟み込む構造が、広く利用されている。
【０００４】
図１は、表示装置モジュールの一例であり、液晶表示パネル又は有機エレクトロルミネッセンス表示パネル１を、上フレーム２と下フレーム（不図示）で挟み込んだ構造を例示している。図１（ａ）は表示装置モジュールの上面側の平面図であり、図１（ｂ）は側面図である。また、符号３は、表示パネル１を駆動するための電気信号等を供給する配線が形成された、フレキシブル・プリント回路（ＦＰＣ）である。
【０００５】
上下フレームの固定は、特許文献１に開示されているように、上側または下側のフレーム側面に嵌合用の爪（図１（ｂ）の点線部分参照）を設け、両者を組み合わせた際に他方のフレーム側面の穴に、該爪を引っかけることで嵌合、固定を行っている。図１（ａ）の一点鎖線Ａ−Ａ’における断面図を図２に示す。図２では、上フレーム２と下フレーム５とが嵌合しており、嵌合状態では、下フレームに設けられた突起部である爪５０が、上フレームの係合部である穴２０に係合している。上フレーム２と下フレーム５との間には、例えば、液晶表示パネル１とそれを照明するバックライト６とが支持されている。
【０００６】
図１及び２に示すような構成により、表示パネルの表示面への荷重に対し、液晶表示パネル１やバックライトモジュール６に加え、上下フレーム２，５で支持することが可能となり、液晶モジュール全体としての機械的強度を確保している。しかし、図２の矢印Ｂのような、表示面へ荷重が加わった際に、上フレーム自体の変位量や荷重によるフレーム側面部の拡がり（矢印Ｃ）によって、図３に示すように、上下フレームの嵌合が外れ、上フレーム２が矢印Ｄのように移動し、上フレーム２の支持が無くなることにより、強度が低下する問題を生じていた。特に、上フレーム２は、表示パネル１の表示画面領域に対応した部分が開口し、該表示画面領域の周囲を取り囲む枠状部材で構成されるため、外部からの荷重に対して変形し易く、上下フレームの嵌合状態が外れ易くなっている。
【先行技術文献】
【特許文献】
【０００７】
【特許文献１】特開平１０−３９２８０号公報
【発明の概要】
【発明が解決しようとする課題】
【０００８】
本発明の解決しようとする課題は、上述した問題を解消し、上下フレームの嵌合状態が、外部からの荷重に対しても容易に外れないよう構成し、表示モジュール全体の機械的強度を向上させた表示装置を提供することである。
【課題を解決するための手段】
【０００９】
上述した課題を解決するため、以下のような手段が利用可能である。
（１）表示パネルと、該表示パネルの表面側から該表示パネルを支持する上フレームと、該表示パネルの裏面側から該表示パネルを支持する下フレームとを有する表示装置において、該上フレーム又は該下フレームのうち、一方のフレームの側面には突起部が形成され、他方のフレームの側面には該突起部と係合する係合部が形成され、該上フレームと該下フレームとが該表示パネルを挟持する状態で嵌合された際には、該突起部と該係合部とが係合するよう構成され、該上フレームと該下フレームとが嵌合した状態において、外側に位置するフレームには、該突起部又は該係合部のいずれか一方の近傍に切り欠きが形成されていることを特徴とする。
【００１０】
（２）上記（１）に記載の表示装置において、該突起部又は該係合部が該フレームの側面の長手方向の中央付近にある場合は、該切り欠きは、該突起部又は該係合部を挟むように両側に形成されていることを特徴とする。
【００１１】
（３）上記（１）に記載の表示装置において、該突起部又は該係合部が該フレームの側面の長手方向の端に近い位置にある場合は、該切り欠きは、該突起部又は該係合部の片側で該長手方向の中央に近い側に形成されていることを特徴とする。
【００１２】
（４）上記（１）乃至（３）のいずれかに記載の表示装置において、該上フレームは、該表示パネルの表示画面領域を取り囲む枠状部材であることを特徴とする。
【００１３】
（５）上記（１）乃至（４）のいずれかに記載の表示装置において、該突起部は、前記一方のフレームの一部を折り曲げた爪状部材であり、該係合部及び該係合補助部は、前記他方のフレームの一部に形成された開口部であることを特徴とする。
【００１４】
（６）上記（１）乃至（５）のいずれかに記載の表示装置において、該表示パネルは、液晶表示パネル又は有機エレクトロルミネッセンス表示パネルのいずれかであることを特徴とする。
【００１５】
（７）上記（６）に記載の表示装置において、該表示パネルは、液晶表示パネルであり、該上フレームと該下フレームとの間には該液晶表示パネルとバックライトとが挟持されることを特徴とする。
【発明の効果】
【００１６】
本発明のように、上フレーム又は下フレームのうち、一方のフレームの側面には突起部が形成され、他方のフレームの側面には該突起部と係合する係合部が形成され、該上フレームと該下フレームとが嵌合した状態において、外側に位置するフレームには、該突起部又は該係合部のいずれか一方の近傍に切り欠きが形成されているため、上下フレームに荷重が加わっても、上下フレームの嵌合が外れるのを抑制でき、表示モジュール全体の機械的強度が低下するのを防止することが可能となる。
【図面の簡単な説明】
【００１７】
【図１】表示装置全体の概略を示す平面図（ａ）と側面図（ｂ）である。
【図２】図１の表示装置における一点鎖線Ａ−Ａ’での断面図である。
【図３】図２に示す表示装置の上下フレームが外れた状態を説明する図である。
【図４】本発明の表示装置、特に上フレームの概略を示す平面図（ａ）と側面図（ｂ）である。
【図５】図４の表示装置の点線部分の拡大図である。
【図６】本発明の表示装置の他の例を示す、上フレームの側面図である。
【図７】本発明の表示装置の用いられる他の係合状態を説明する断面図である。
【発明を実施するための形態】
【００１８】
本発明の表示装置について、以下に詳細に説明する。
本発明の表示装置の特徴は、図４乃至図６に示されているが、以下の説明では、表示装置の一部の断面図は、図２又は図７のように図示できるため、図２並びに図４乃至図７を用いて、本発明の表示装置を説明する。
【００１９】
本発明の表示装置は、図２に示すように、表示パネル１と、該表示パネルの表面側から該表示パネルを支持する上フレーム２と、該表示パネルの裏面側から該表示パネルを支持する下フレーム５とを有する表示装置において、該上フレーム又は該下フレームのうち、一方のフレームの側面には突起部５０が形成され、他方のフレームの側面には該突起部と係合する係合部２０が形成され、該上フレームと該下フレームとが該表示パネルを挟持する状態で嵌合された際には、該突起部と該係合部とが係合するよう構成され、該上フレーム２と該下フレーム５とが嵌合した状態において、外側に位置するフレームには、該突起部又は該係合部のいずれか一方の近傍に切り欠き（図５の符号２１参照）が形成されていることを特徴とする。
【００２０】
本発明の表示装置の特徴は、フレームの側面、特に、上下フレームを嵌合させた状態で、外側に位置するフレームの側面に、切り欠きを形成することである。切り欠きは、図４及び図４の点線部分７の拡大図である図５に示すように、突起部又は係合部の近傍に形成する。図４は、上記外側に位置するフレームが上フレーム２の場合を示しており、上フレームの側面には係合部である開口２０が形成されている。
【００２１】
図２で説明したように、上フレームの表面側から荷重Ｂが加わると、上フレーム２の側面は矢印Ｃのように外側に拡がろうとする。本発明のように、突起部又は係合部の近傍に切り欠きを形成することにより、矢印Ｃのように移動させる内部応力が突起部又は係合部２０に伝わるのを回避することができる。これにより、上フレームの側面の一部が外側に拡がっても、突起部又は係合部２０が形成された部分は外側に拡がらず、係合関係を維持することが可能となる。
【００２２】
突起部又は係合部の近傍に形成する切り欠きの位置について説明すると、図６に示すように、該突起部又は該係合部が該フレームの側面の長手方向の中央付近にある場合（点線部分７）は、該切り欠きは、該突起部又は該係合部を挟むように両側に形成さていることが好ましい。これは、突起部又は係合部が形成された位置の両側から、フレームの側面を外側に拡げようとする内部応力が働く可能性があるためである。
【００２３】
これに対し、図６の点線部分８における突起部又は係合部においては、主にフレーム側面の長手方向の中央部側から内部応力が働く。このため、該突起部又は該係合部が該フレームの側面の長手方向の端に近い位置にある場合（点線部分８）は、該切り欠きは、該突起部又は該係合部の片側で該長手方向の中央に近い側に形成さている。
【００２４】
本発明の表示装置に適用される突起部としては、上下フレームを金属材料で構成する場合には、フレームの一部を切り起した爪状部材や、プレス成形により形成した凸状部材などが利用可能である。また、係合部としては、図２に示すような打ち抜き加工による開口や、プレス成形により形成した凹状部材などが利用可能である。図５に示す切り抜き部分２１は、開口と同様に打ち抜き加工などで形成することが可能である。
【００２５】
上フレーム２の形状としては、特に、表示パネル１の表示画面領域を取り囲む枠状部材である場合には、本発明が好適に適用可能である。つまり、図２及び３を用いて説明したように、上フレームの枠状部分に荷重をかけると、上フレームの側面部分は容易に外側に拡がり、突起部と係合部との係合関係が解除されることとなる。このような、上フレームの欠点と補完するため、本発明の係合補助部を設けることは、特に、有効である。
【００２６】
図２では、下フレーム５に突起部５０が形成され、上フレーム２に係合部２１が形成されているが、本発明の表示装置は、これに限らず、図７に示すように、上フレーム２に突起部２２を形成し、下フレーム５に係合部５１を形成することも可能である。
【００２７】
本発明の表示装置に使用される表示パネルは、液晶表示パネルや有機エレクトロルミネッセンス表示パネルなど、薄型の表示パネルであれば、いずれでも好適に利用可能である。特に、表示パネルが液晶表示パネルである場合には、液晶表示パネルのみを上下フレームで挟持することも可能であるが、図２又は図７に示すように、上フレーム２と下フレーム５との間には液晶表示パネル１とバックライト７とを挟持するよう構成することも可能である。
【産業上の利用可能性】
【００２８】
以上のように、本発明によれば、上下フレームの嵌合状態が、外部からの荷重に対しても容易に外れないよう構成し、表示モジュール全体の機械的強度を向上させた表示装置を提供することが可能となる。
【符号の説明】
【００２９】
１  表示パネル
２  上フレーム
３  フレキシブル・プリント回路
５  下フレーム
５０  突起部
２０  係合部
２１  切り欠き部
【図１】
2012013759.tif 000003
【図２】
2012013759.tif 000004
【図３】
2012013759.tif 000005
【図４】
2012013759.tif 000006
【図５】
2012013759.tif 000007
【図６】
2012013759.tif 000008
【図７】
2012013759.tif 000009